【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
ウェブページ利用情報（「利用情報」）をトラッキングするために１つ以上のウェブページを自動的に構成する方法であって、
前記利用情報のトラッキングを容易にするタグ構造の挿入を支援する構造を有するウェブページセットを決定するために、前記１つ以上のウェブページを解析するステップと、
前記ウェブページセットのウェブページそれぞれに対し、
（１）前記解析に基づいて、前記タグ構造を挿入するための挿入点を自動的に特定するステップと、
（２）前記タグ構造を前記挿入点に自動的に埋め込むステップであって、前記ウェブページに関する利用情報がトラッキングされ得るものと、含む方法。
【請求項２】
前記解析が、異なるウェブページが異なるタグ構造を受信し得るようなタグ構造を、解析された前記ウェブページに埋め込む可能性のある複数のタグ構造から自動的に識別することを容易にすることを特徴とする請求項１記載の方法。
【請求項３】
前記１つ以上のウェブページの前記解析が、回復不可能なＨＴＭＬエラーを含むか決定するための１つ以上のドキュメントの解析を含んでいて、エラーを含む場合、
前記回復不可能なエラーの指示を提示するステップと、
タグを破棄するステップと、
デフォルト動作を実行するステップと、
の１つ以上を実行することを特徴とする請求項１記載の方法。
【請求項４】
前記タグ構造が、開始タグマーカー及び終了タグマーカーによって区切られたコード部分を含むことを特徴とする請求項１記載の方法。
【請求項５】
前記タグ構造が、ユーザー入力又は設定に基づいてパラメーターを受信し得ることを特徴とする請求項１記載の方法。
【請求項６】
前記スクリプトが、様々なウェブサイトトポロジーとのユーザー対話の実験を容易にすることと、前記実験が、
Ａ／Ｂ検査と、
多変量検査と、
の１つ以上を含むことと、を特徴とする請求項５記載の方法。
【請求項７】
前記タグ構造を自動的に埋め込むステップが、アクセス可能なルールセットに支配される前記タグ構造を埋め込むステップを含むことを特徴とする請求項１記載の方法。
【請求項８】
更に、前記埋め込まれたタグ構造が、前記タグ構造を埋め込む前に、その機能に関して前記ウェブページに望まれない変化をもたらさなかったことの検証を提供するステップを含む請求項１記載の方法。
【請求項９】
更に、
ユーザーインターフェースにデータを提供することによって前記タグ構造の変更を可能にするユーザーインターフェースを提示するステップであって、それによってユーザーが、ウェブページのソースコードを編集する必要がないものと、
前記ユーザーインターフェースを介した入力の受信に付随して前記タグ構造を自動的に変更するステップと、を含む請求項１記載の方法。
【請求項１０】
更に、ユーザー設定情報を収集するステップと、将来、再収集するためのリポジトリにそれをストアするステップと、を含む請求項１記載の方法。
【請求項１１】
更に、
前記ウェブページに実行された変更を記述する変更情報をストアするステップと、
前記変更情報を利用することによって実行された任意の変更を逆戻りするアンドゥプロセスを容易にするステップと、を含む請求項１記載の方法。
【請求項１２】
更に、現在、存在しているタグに対し、前記ウェブページを検査するステップと、それらのタグを更新又は削除するステップと、を含んでいて、前記タグが、請求項１記載の方法によって埋め込まれたタグ以外のタグを含むことを特徴とする請求項１記載の方法。
【請求項１３】
１つ以上のウェブページを自動的に編集する方法を実行するための、その上で具現化される計算機実行可能命令を有する１つ以上の計算機可読媒体であって、前記方法が、
カスタマイズコンテンツを受信するように変更されるべきウェブページセットを自動的に決定するステップと、
前記ウェブページセットのウェブページそれぞれに対し、
（１）前記ウェブページに埋め込まれる必要がある複数のタグ構造から適切なタグ構造を決定するために、ウェブページを自動的に解析するステップと、
（２）前記ウェブページにおいて前記ウェブページの機能性に影響しない挿入点を決定するために、前記ウェブページを自動的に解析するステップと、
（３）前記適切なタグ構造を前記挿入点に自動的に埋め込むステップであって、それによって、前記カスタマイズコンテンツを前記ウェブページに埋め込み可能にするものと、を含むもの。
【請求項１４】
前記計算機実行可能命令が、
ウェブベースクライアントアプリケーションと、
スタンドアロンのウェブベースではないアプリケーションの追加と、
の１つ以上を実行することを特徴とする請求項１３記載の媒体。
【請求項１５】
前記タグ構造が、
前記ウェブページに関連する訪問イベントをトラッキングするステップと、
広告コンテンツを提示するステップと、
Ａ／Ｂ検査を実行するステップと、
指定されたドキュメントセット全体に適用される多変量検査を実行するステップと、
の１つ以上を容易にすることを特徴とする請求項１３記載の媒体。
【請求項１６】
前記適切なタグ構造を自動的に埋め込むステップが、前記ウェブページ内部に埋め込まれるべき前記タグ構造を有する前記ウェブページに関連する設定情報又はルールをストアしているリポジトリを参照するステップ、を含むことを特徴とする請求項１３記載の媒体。
【請求項１７】
更に、前記埋め込まれたタグ構造が、前記ウェブページの望まれない変化をもたらさなかったことを検証するステップを含む請求項１３記載の媒体。
【請求項１８】
ウェブページを表示するためのリクエストが実行されたとき、そのコンテンツがリアルタイムで変更されるようにコンテンツタグを前記ウェブページに自動的に埋め込むためのシステムであって、
前記ウェブページにおいて埋め込みコンテンツを受信するように変更されるべきコンテンツを有するウェブページセットを含むウェブサイトをホスティングするサーバーと、
前記サーバーに接続されていて、タグ情報を前記ウェブページセット内のウェブページそれぞれに関連付ける設定情報をストアしているストレージリポジトリと、
前記ウェブページの外観又は機能の望ましくない変化なしに、前記埋め込みコンテンツを前記ウェブページの挿入点それぞれに自動的に挿入するための機能を提供する計算機実行可能命令セットに対するアクセスを提供するメモリーと、を含むシステム。
【請求項１９】
前記埋め込みコンテンツが、
広告コンテンツと、
前記ウェブサイトの訪問イベントに関する情報収集を可能にするウェブ解析と、
映像、画像、音声、地図、専門ウェブサイトが提供するアニメーション、及びスライドショーのようなメディアと、
例えば、アプレット、フラッシュオブジェクトが、埋め込みインスタント・メッセージング・サービスなどを含むプログラムコンテンツと、
ゲストブック、サーベイ、及びニュース表示のようなウェブサイトのガジェットと、
タグクラウド、ＲＳＳフィード、ウィキのようなＷｅｂ２．０項目と、
の１つ以上を含むことを特徴とする請求項１８の記載のシステム。
【請求項２０】
更に、一定のウェブページを表示するリクエストに付随して、前記一定のウェブページに関連付けられるタグ情報を検索するために前記ストレージリポジトリに参照符を付け、挿入点へ前記タグ付け情報をリアルタイムで自動的に挿入して、前記一定のウェブページがリクエスターに前記埋め込まれたタグ情報を提示されるように、前記サーバー及び前記ストレージリポジトリと通信する通知コンポーネントを含む請求項１８記載のシステム。
【請求項２１】
前記ストレージリポジトリが、
埋め込み利用可能なサービスと、
埋め込みサービスそれぞれに関するタグと、
必要なパラメーター及び任意のパラメーターを含むファイル中の位置に関するタグ情報と、
前記埋め込みコンテンツに含まれ得るパラメータータイプと、
特有のフォーマッティング要件と、
ウェブページを検証するためのルールと、
挿入点を決定するためのルールと、
コンテンツを埋め込むためのルールと、
前記埋め込みコンテンツに対するパラメーター化オプションと、
前記１つ以上のウェブページに対するタグの設定情報と、
の１つ以上をストアすることを特徴とする請求項１８の記載のシステム。
【請求項２２】
前記１つ以上の挿入点それぞれが、ユーザーからの入力を受信することによって少なくとも部分的に決定されることを特徴とする請求項１８の記載のシステム。